(57)【特許請求の範囲】
【請求項１】
蒸散液を含浸させた粒状物を封入した通気性のよいフレキシブルなパックを収納保持するための収納体であって、ヒンジを介して開閉する側面板を設け、該側面板の少なくとも一方の内面にパック内の粒状保持体の偏り、パック自体のズレを防止するよう、パック内の粒状保持体の間に食い込んで挟持し、パック内空間を複数に分画し、食い込むほどの高さを有する複数の線状挟持部材を設けたことを特徴とする蒸散剤収納用収納体。
【請求項２】
前記線状挟持部材は連続、不連続を問わず連なっているもので、縦向きと横向きあるいは斜め方向のものを組み合わせたものであることを特徴とする請求項１記載の蒸散剤収納用収納体。
【発明の詳細な説明】
【０００１】
【発明の属する技術分野】
本発明は揮散性の防虫成分や芳香成分を含有する蒸散剤を収納する蒸散剤収納用収納体に関する。
【０００２】
【従来の技術】
従来、蒸散剤は蒸散液を含浸させた粒状の多数の保持体を、通気性のよいパックに収納させたもので、このパックを外気と接触しやすいように多数の細かい通気孔を有する筐体内に収納し、例えば衣料の収納容器内に置いていた。
しかしながら、前記筐体状の容器を衣料等の収納容器内に置いたのでは、少なくとも筐体状容器の一面が収納容器に接触するため、蒸散剤の効力を十分に発揮できないため、前記筐体状容器の一部にフックを設け、例えば洋服タンスのパイプ状ハンガーに懸下しておき、筐体状容器の全面から蒸散剤を揮散させるべく、多くの蒸散剤収納用収納体が使用されている。
【０００３】
【発明が解決しようとする課題】
しかし、上述した従来の蒸散剤収納用収納体では、収納体を懸下するためにパックに収納した粒状の保持体が一方に偏るため、防虫成分や芳香成分の効率揮散や揮散方向の偏りを発生するという問題がある。
本発明は上記事情に鑑みてなされたもので、その目的とするところはパック内に収納した粒状保持体の偏りを防止すると共に、パック自体の横擦れや縦擦れを防止し、防虫成分や芳香成分の効率揮散や揮散方向の偏りを防止する蒸散剤収納用収納体を提案しようとするものである。
【０００４】
【課題を解決するための手段】
上記目的を達成するため、本発明の蒸散剤収納用収納体は、ヒンジを介して開閉する側面板の少なくとも一方の内面に、パック内の粒状保持体の偏り、パック自体のズレを防止するよう、パック内の粒状保持体の間に食い込んで挟持し、パック内空間を複数に分画し、食い込むほどの高さを有する複数の線状挟持部材を設けたことを特徴とするもので、前記線状挟持部材は連続、不連続を問わず連なったもので、縦横あるいは斜め方向の突起を組み合わせたものである。
【０００５】
本発明に係る蒸散剤収納用収納体によれば、収納体の内側面に複数の線状挟持部材が設けられているので、該線状挟持部材がパックの粒状保持体の間に食い込み、保持体とパックを抑えてズレを防止して防虫成分や芳香成分の効率揮散および揮散方向の偏りを防止することができる。
また、使用に際しては、収納体を開いた状態でパックを装填し、線状挟持部材に合わせて保持体を均等にならしておき、収納体を閉じることができるので保持体はパックと共に確実に固定することができ、取り扱いも簡単である。
【０００６】
【発明の実施の形態】
以下、本発明の実施の形態を図面を参照して詳細に説明する。図１は本発明の一実施例を示す蒸散剤収納用収納体の開いた状態における斜視図、図２は本発明の他の実施例を示す蒸散剤収納用収納体の開いた状態における斜視図、図３は蒸散剤収納用収納体に用いられるパックの斜視図、図４はパック内に収納される保持体の形状を示す斜視図である。
【０００７】
図１において、蒸散剤収納用収納体（以下収納体と称す）１は、ヒンジ２を介して２枚の側面板３，４より構成されている。ヒンジ２は側面板３，４の両端部分に各１個、中央部分に１個の計３個よりなり、これらのヒンジ２，２の間は空間部分５が設けてある。
前記２枚の側面板３，４は同形同大の平皿形の部材で、外周には僅かな立上り部６が設けてあって、側面板３，４をＡ矢印方向に閉じると、前記立上り部６の端部は互に重なり合うように形成されている。
【０００８】
前記立上り部６の内側で側面板３には複数個所にピン状突起７，７，……が設けてあり、これに対応する側面板４側には中央に小孔を設けたボスフック８，８，……が設けてあって、２枚の側面板３と４とを閉じ合わせたときにピン状突起７はボスフック８に嵌合締着され、側面板３と４とが要時着脱自在となるようになっている。
側面板３と４との長手方向の中央で自由端となっている外方には、ハンガー等に吊すための吊下げ部９が一対で設けてある。この一対の吊下げ部９を側面板３と４とが互に嵌合されたとき合体され、吊下げ部９の先端に設けたピン状突起７が相手側のボスフック８に係止され、吊り下げ部９、９が要時着脱自在となるようになっている。
【０００９】
前記吊下げ部９を設けた側面板３と４との内側には、半円形状の基板１０がヒンジ２の方向に突設してある。これは側面板３と一体的なもので薄板状に形成されている。
【００１０】
前記基板１０と側面板３との間には、曲線で張設された複数本の線状挟持部材１２が設けてある。これらの線状挟持部材１２のあるものは他の線状挟持部材と交差したりしても、その起点または終点は基板１０または側面板３に接続されている。この線状挟持部材１２は側面板３と４とに設けてあって、２枚の側面板３と４を閉じても互の上面は接触することなく僅かな空間を持つように形成されている。
【００１１】
なお、図２に示すように、基板１０の中央にヒンジ２側の側面板３に達する基準突起１１を設けるようにしても良い。この基準突起１１は直線的なもので、その高さは前記立上り部６の高さと等しく形成されており、その上端面は２枚の側面板３と４とを閉じた時に互に重なり合うようになっている。
したがって、側面板３と４とを閉じた際には、前記周囲の立上り部６と、上記基準突起１１とによって側面板３と４との接触は防止され、収納体１は内部に所定の空間部を保てるようになっている。
【００１２】
図１及び図２に示した構成をなす収納体１は、合成樹脂による一体成型品であって、上記した側面板３と４の基板１０、基準突起１１、線状挟持部材１２以外は全て空間部となっている。
【００１３】
この収納体１に収納される蒸散剤４０は、図１に示すような通気性のよいフレキシブルなパック４１に収納してある。このパック４１の中には蒸散液を含浸させた粒形状の多数の保持体４２が内蔵されている。
パック４１は、例えば、天然繊維（和紙）、ポリエステル、ポリエチレン、ポリアミド、ポリウレタン、アクリル、ポリプロピレン、セルロースなどの合成繊維を、単独であるいは組み合わせて不織布や微多孔性フィルムやラミネートフィルムとした蒸散成分が透過するものを袋状に成形したものであり、保持体４２を内部に収納した後に、その開口をヒートシールなどにより接着して塞ぐようにされている。
特に、収納体１に用いられるパック４１は図２に示すように、収納体１の長手方向の長さを有する袋体の中央を予めヒートシールし、保持体４２を両端側よりそれぞれ封入したものを用いている。
【００１４】
保持体４２は、吸油性の素材であれば良く、例えば紙、不織布、布、木材、ベニア、木粉、パルプ、無機高分子物質、無機多孔性物質（ケイ酸塩、シリカ、ゼオライト等）、有機高分子物質（セルロース、ポリエチレン、ポリ塩化ビニル、ポリプロピレン、ポリビニルアルコール、酢酸ビニル−塩化ビニル共重合体、スチレン−ジビニルベンゼン共重合体等）、ゲル化物質（寒天、カラギーナン、澱粉、ゼラチン、アルギン酸等）、昇華性物質（アダマンタン、シクロドデカン、ノルボルナン、トリメチルノルボルナン、エンドートリメチルノルボルナン、パラジクロルベンゼン、ナフタリン、樟脳等）を使用することができる。
【００１５】
また、保持体４２の形状は特に限定するものではなく図３に示すように例えば、（ａ）略球形状、（ｂ）円柱錠剤形状、（ｃ）矩形錠剤形状など任意の剤型で使用することができる。
また、本発明において使用する薬液は、常温状態において蒸散性を有する液状の各種薬剤を使用することができる。この例を挙げると、例えば、（Ｒ，Ｓ）−１−エチニル−２−メチルペント−２−エニル（ＩＲ）−シス、トランスクリサンテマート、１−エチニル−２−メチル−２−ペンテニル−２，２−ジメチル−３−（２′，２′−ジクロルビニル）−シクロプロパン−１−カルボキシレート、１−エチニル−２−メチル−２−ペンテニル−２，２−ジメチル−３−（２′−メチル−１′−プロペニル）−シクロプロパン−１−カルボキシレート、１−エチニル−２−メチル−２−ペンテニル−２，２，３，３−テトラメチルシクロプロパンカルボキシレート、ベンフルスリン、フェンフルスリン等のピレスロイド系化合物、ＤＤＶＰ、スミチオン等の有機リン系化合物、フタル酸ジメチル、フタル酸ジエチル、フタル酸ジブチル、フマル酸ジエチル、Ｎ，Ｎ−ジエチル−ｍ−トルアミド等の防虫、忌避剤、安息香酸エチル、サフロール、インサフロール、オイゲノール、シトロネロール、アネトール、１−カルボン酸等の防虫性香料、シトラール、シトロネラール、ネロール、ゲラニオール、酢酸リナシル、アセトフェノン、テルピネオール、メントン、安息香酸ベンジル、フェニル酢酸エチル、酢酸イソアミル、ユーカリブトール等の香料、ケイ皮アルデヒド、ベンズアルデヒド等の防虫・防黴剤、などが挙げられる。
上述の各種薬剤は、周知のごとく単独であるいは２種以上組み合わせて使用することができるものであり、防虫剤、殺虫剤、防殺虫剤、防虫芳香剤、防虫・防黴剤として使用することができるものである。
【００１６】
上記蒸散剤４０のパック４１を、予め開いておいた収納体１の一方の側面板４上に載せ、側面板４に設けた基準突起１１にパック４１の中央部分（図１のＢ−Ｂ線）を合わせて載せ、保持体４２を入れた袋部分を平均的な厚さとなるよう抑えて置き、他方の側面板３をＡ矢印の方向に回動して被せると、側面板３と４に設けた基準突起１１がパック４１の中央部分を挟み、袋部分を線状挟持部材１２が互に挟み合ってパック４１や保持体４２をズレなく固定するので、蒸散剤４０の防虫成分や芳香成分の効率揮散および揮散方向の偏りを防止することができる。
なお、上記固定は側面板３と４とに設けたピン状突起７，……と、ボスフック８，……との嵌合により固着され安易に剥れることはない。
【００１７】
以上説明した収納体１は、側面板３と４との内側に曲線状の線状挟持部材１２を配した例を示したが、この線状挟持部材１２は基板１０より側面板３側に放射状に設けたものであっても同様の効果を得ることができる。
また、線状挟持部材１２を一方の側面板─例えば４側に設け、他方の側面板３側をフラット面としても、線状挟持部材１２の高さを高くしておくことにより同様の効果を得ることができる。
本発明に適用される粒状保持体には、インジケータ機能を粒状保持体に間接・直接に付加してもよい。このインジケータとしては、電子供与性呈色有機化合物、顕色剤、揮発性減感性薬剤の組成からなるもの（特開昭６２−７６３９６５号公報参照）、水筆の原理を応用し発色紙を用いたもの（特開昭６１−５６１０９号公報参照）等が挙げられる。
【００１８】
【発明の効果】
以上詳細に説明したように、本発明の蒸散剤収納用収納体は、ヒンジを介して開閉する側面板の少なくとも一方の内面に、パック内の粒状保持体の偏り、パック自体のズレを防止するよう複数の線状挟持部材を設けたので、パック内に収納した粒状保持体の偏りを防止し、防虫成分や芳香成分の効率揮散や揮散方向の偏りを防止できる特長があり、取扱いも極く簡単で確実性のある利点がある。
【図面の簡単な説明】
【図１】本発明の一実施例を示す蒸散剤収納用収納体の内側面の斜視図である。
【図２】本発明の他の実施例を示す蒸散剤収納用収納体の内側面の斜視図である。
【図３】収納体に収納されるパットの外観斜視図である。
【図４】図３のパットに挿入される蒸散剤の保持体の斜視図で、（ａ）は略球形状、（ｂ）は円柱錠剤形状、（ｃ）は矩形錠剤形状のものを示す。
【符号の説明】
１    蒸散剤収納用収納体
２    ヒンジ
３    側面板
４    側面板
１２  線状挟持部材
４１  パック
【図１】
0003722386.tif 000002
【図２】
0003722386.tif 000003
【図３】
0003722386.tif 000004
【図４】
0003722386.tif 000005